(57)【要約】      （修正有）【課題】商業電源の取れない場所や時、或いは、外出先等での携帯電話機の充電に利用される充電装置で、掌に納まる形状とサイズの携帯発電充電器において、携帯電話機に適応する携帯発電充電器を提供する。【解決手段】携帯発電充電器に備えた手動式発電手段と、手動式発電手段と電気的に接続した充電手段と、充電手段と電気的に接続させた照明手段と、充電手段と電気的に接続させた電源用端子と、電源用端子を挿通させる電源用ソケットを先端に設け基端にカープラグを設けた電源用コードと、充電手段と電気的に接続させた充電用端子と、充電用端子を挿通させる充電用ソケットを一端に設け他端に異種類の携帯電話機に夫々接続させるための複数の携帯電話機用接続コネクターを着脱可能とするコードコネクターを介装した充電用コードと、手動式発電手段にはヒンジ機構を介装した回転ハンドルとを備る。【選択図】図１
0003113590.tif 000002
【実用新案登録請求の範囲】
【請求項１】
掌に納まる形状とサイズの携帯発電充電器と、該携帯発電充電器に備えた手動式発電手段と、該手動式発電手段と電気的に接続した充電手段と、該充電手段と電気的に接続させた照明手段と、前記充電手段と電気的に接続させた電源用端子と、該電源用端子を挿通させる電源用ソケットを先端に設け基端にカープラグを設けた電源用コードと、前記充電手段と電気的に接続させた充電用端子と、該充電用端子を挿通させる充電用ソケットを一端に設け他端に異種類の携帯電話機に夫々接続させるための複数の携帯電話機用接続コネクターを着脱可能とするコードコネクターを介装した充電用コードと、前記手動式発電手段にはヒンジ機構を介装した回転ハンドルと、を備えたことを特徴とする携帯発電充電器。
【考案の詳細な説明】
【技術分野】
【０００１】  本考案は携帯発電充電器に関するものであって、更に詳細には、災害時や遭難時等の緊急時又はキャンプ地や僻地等の商業電源の取れない場所や時においても、車両の電源を用いて携帯電話機の充電に加え携帯発電充電器の充電手段に電力を充電しており、携帯電話機が電池切れに成ると携帯発電充電器から充電でき、更には、手動式発電手段によって発電及び充電が可能であり、携帯電話機が電池切れを起こすことなく使用できる携帯発電充電器に関するものである。
【背景技術】
【０００２】  従来から、この種の携帯電話機に関する充電方法は各種考慮されており、一般的には商業電源よりコードを延設した充電器によって行われるが、商業電源の取れない場所や時、或いは、外出先等での携帯電話機の充電には苦渋を呈している現状であり、又、携帯発電充電器も各種開発されており、商業電源の取れない場所や時に使用されているが、発電時には強く且つ早く回転させることが効率的な発電に繋がることから、装置そのものをしっかり安定した状態で把持できる形状が必要である。【０００３】  例えば、携帯電話機用充電器１は、電源部２ａを有する充電器本体２と、充電器本体２にコード３を介して接続される、携帯電話機Ｐの充電用端子部２０に接続可能な接続プラグ４とを備える。接続プラグ４は、充電器本体２から供給される電力により点灯する発光器１１を備える。接続プラグ４は、発光器１１を点灯／消灯する発光器用のスイッチ１４と、携帯電話機Ｐの充電用端子部２０に係止可能な係止爪９と、押下されたときに係止爪９の係止を解除する操作ボタン１０とを備えると共に、発光器１１用のスイッチ１４が操作ボタン１０で操作されて、操作ボタン１０が押下されたときに発光器１１を点灯するように構成されてもよい。また、接続プラグ４のケース７を透明または半透明に構成し、ケース７内部に発光器１１を設けるようにしてもよいもの（特許文献１参照）や、片手で操作ができ、しかも、携帯電話や携帯ラジオの充電器として共用できるのみならず、災害時に懐中電灯としても使用できる携帯用発電機として、操作レバーを反復握持することにより発電機を駆動する携帯用発電機であって、充電対象の携帯用電気機器の充電器用コネクタに接続可能な構成のコネクタを備え、充電対象の携帯用電気機器に接続コードを介して充電可能にしたもの（特許文献２参照）や、手動を停止しても外部機器への電力供給がなされ、外部機器の操作を容易に実施することができ、尚且つ安定した電力を供給できるようにしたものであり、手動により回転されて発電する少なくとも１つの発電モータ１４と、この発電モータ１４よりの出力電流を整流された所定の電圧として外部の機器に供給する手動発電機１において、充電可能な２次電池１０を具備し、この２次電池１０と前記発電モータ１４とを並列して外部機器への電力供給路６に接続するもの（特許文献３参照）等が開示されている。
【特許文献１】特開２００５−０１２８６９号公報
【特許文献２】特開２００３−４７１９９号公報
【特許文献３】特開平１１−２８８７４２号公報
【考案の開示】
【考案が解決しようとする課題】
【０００４】  然し乍ら、先に開示された、携帯電話機用充電器１は、電源部２ａを有する充電器本体２と、充電器本体２にコード３を介して接続される、携帯電話機Ｐの充電用端子部２０に接続可能な接続プラグ４とを備える。接続プラグ４は、充電器本体２から供給される電力により点灯する発光器１１を備える。接続プラグ４は、発光器１１を点灯／消灯する発光器用のスイッチ１４と、携帯電話機Ｐの充電用端子部２０に係止可能な係止爪９と、押下されたときに係止爪９の係止を解除する操作ボタン１０とを備えると共に、発光器１１用のスイッチ１４が操作ボタン１０で操作されて、操作ボタン１０が押下されたときに発光器１１を点灯するように構成されてもよい。また、接続プラグ４のケース７を透明または半透明に構成し、ケース７内部に発光器１１を設けるようにしてもよいものでは、暗闇でも充電のための接続が行われるものであるが、電源が近くに必要としており、段落番号０００２及び図１には接続プラグがカープラグとの記載されているが、携帯発電充電器が介装されるものではなく、更に、あらゆる携帯電話機に適応する開示はないものである。【０００５】  更に、片手で操作ができ、しかも、携帯電話や携帯ラジオの充電器として共用できるのみならず、災害時に懐中電灯としても使用できる携帯用発電機として、操作レバーを反復握持することにより発電機を駆動する携帯用発電機であって、充電対象の携帯用電気機器の充電器用コネクタに接続可能な構成のコネクタを備え、充電対象の携帯用電気機器に接続コードを介して充電可能にしたものでは、操作レバーを反復運動を発電機の回転運動に変換して発電することから、スプリング、ワンウエイクラッチ、ギア等の多数のパーツを組み込まなければ成らず、更に、往復運動を回転運動の変換することからエネルギーの損失が大きいものである。【０００６】  更には、手動を停止しても外部機器への電力供給がなされ、外部機器の操作を容易に実施することができ、尚且つ安定した電力を供給できるようにしたものであり、手動により回転されて発電する少なくとも１つの発電モータ１４と、この発電モータ１４よりの出力電流を整流された所定の電圧として外部の機器に供給する手動発電機１において、充電可能な２次電池１０を具備し、この２次電池１０と前記発電モータ１４とを並列して外部機器への電力供給路６に接続するものでは、発電する時に把持しにくく、又、発電のための回転レバーが突出したままの状態となっており携帯や収納時に邪魔になったり、引っかかったりするものである。
【課題を解決するための手段】
【０００７】  本考案の携帯発電充電器は、前述の課題に鑑み、鋭意研鑽の結果、掌に納まる形状とサイズの携帯発電充電器と、携帯発電充電器に備えた手動式発電手段と、手動式発電手段と電気的に接続した充電手段と、充電手段と電気的に接続させた照明手段と、充電手段と電気的に接続させた電源用端子と、電源用端子を挿通させる電源用ソケットを先端に設け基端にカープラグを設けた電源用コードと、充電手段と電気的に接続させた充電用端子と、充電用端子を挿通させる充電用ソケットを一端に設け他端に異種類の携帯電話機に夫々接続させるための複数の携帯電話機用接続コネクターを着脱可能とするコードコネクターを介装した充電用コードと、手動式発電手段にはヒンジ機構を介装した回転ハンドルと、を備えたものである。
【考案の効果】
【０００８】  本考案の携帯発電充電器は、携帯電話機の電池に商業電源の取れない場所での充電が可能なもので、車両に装備されているシガレットライターから携帯発電充電器の充電手段と、該充電手段を介して携帯電話機の電池に充電できるもので、又は、充電された携帯発電充電器と共に携帯電話機を携帯することで何時でも何処でも携帯電話機の電池への充電を可能とするものであり、更には、手動式発電手段の回転ハンドルをヒンジ機構を介して反転させて人力で回転させることにより、発電及び充電を可能とするもので、携帯電話機が電池切れを起こすことなく使用できるものであり、加えて、回転ハンドルを反転させることによりコンパクトに収納できるもので携帯時にも好適なのものである。
【考案を実施するための最良の形態】
【０００９】  本考案は携帯発電充電器に関するものであって、更に詳細には、災害時や遭難時等の緊急時又はキャンプ地や僻地等の商業電源の取れない場所や時においても、車両の電源を用いて携帯電話機の充電に加え携帯発電充電器の充電手段に電力を充電しており、携帯電話機が電池切れに成ると携帯発電充電器から充電でき、更には、手動式発電手段によって発電及び充電が可能であり、携帯電話機が長時間にわたって使用できる携帯発電充電器に関するものであり、掌に納まる形状とサイズの携帯発電充電器１と、該携帯発電充電器１に備えた手動式発電手段２と、該手動式発電手段２と電気的に接続した充電手段３と、該充電手段３と電気的に接続させた照明手段４と、前記充電手段４と電気的に接続させた電源用端子５と、該電源用端子５を挿通させる電源用ソケット６ａを先端に設け基端にカープラグ６ｂを設けた電源用コード６と、前記充電手段３と電気的に接続させた充電用端子７と、該充電用端子７を挿通させる充電用ソケット８ａを一端に設け他端に異種類の携帯電話機Ａに夫々接続させるための複数の携帯電話機用接続コネクター８ｂを着脱可能とするコードコネクター８ｃを介装した充電用コード８と、前記手動式発電手段２にはヒンジ機構２ｂを介装した回転ハンドル２ａと、を備えたことを特徴とするものである。
【実施例】
【００１０】  以下、本考案の携帯電話機の充電方法の実施例の図面を用いて詳細に説明すると、図１は本考案の携帯電話機の充電方法の実施例を説明するための概要図であり、図２は本考案の携帯電話機の充電方法の実施例の携帯発電充電器を説明するための正面図であり、図３は本考案の携帯電話機の充電方法の実施例の携帯発電充電器を説明するための側面説明図であり、図４は本考案の携帯電話機の充電方法の実施例の携帯発電充電器を説明するための側面図であり、図５は本考案の携帯電話機の充電方法の実施例を説明するための部品の平面図である。【００１１】  即ち、本考案の携帯電話機の充電方法のための携帯発電充電器１は、図２乃至図４に図示する如く、表面と裏面と底部とケース側壁で囲った側面がバイク用ヘルメット状の形状で、人間の自然な握り方で握るとすっぽりと左手の掌に納まるサイズのものであり、正面には後述する手動式発電手段２のハンドル杆２ａを備えるものである。【００１２】  そして、手動式発電手段２は携帯発電充電器１に内装された手動式発電機２ｃと増速器２ｄと回転軸２ｅと回転板２ｆとヒンジ機構２ｂを介装して接続したハンドル杆２ａ等から成るものである。【００１３】  次に、充電手段３は放電充電可能なバッテリーであり、前記手動式発電手段２と電気的に接続されており、手動式発電手段２で発電した電力を充電すると共に、後述する照明手段と電源用端子４及び充電用端子７と電気的に接続しているものである。【００１４】  次いで、照明手段４は携帯発電充電器１の先端部に設けるもので、内部には発光ダイオード（ＬＥＤ）を３個並設して、前面は照射用レンズ４ａで覆っているもので、オンオフ兼照度切換スイッチ４ｂは上方に設けおり、一度押すことで一つのランプが点灯し、二度押すことで三つのライトが点灯して高輝度と成り、更に、もう一度押すことでオフに成るものである。【００１５】  そして、電源用端子４は充電手段３と電気的に接続させると共に、図４に図示する如く、携帯発電充電器１の後端に露出させているもので、後述する電源用コード６の電源用ソケット６ａを挿通させ、車両のシガレットライター用電源Ｂから電力を得て充電手段３に充電をさせるものである。【００１６】  更に、電源用コード６は先端に電源用端子５を挿通させるための電源用ソケット６ａを設けると共に、一定長さのコードを介装して基端には車両のシガレットライター用電源Ｂに挿通させるカープラグ６ｂを設けているものである。【００１７】  更には、充電用端子７は充電手段３と電気的に接続させると共に、前記電源用端子５と近設させて携帯発電充電器１の後端面に露出させているもので、後述する充電用コード８の一端に設けた充電用ソケット８ａを挿通させるものである。【００１８】  更に、充電用コード８は一端に前記充電用端子７を挿通させる充電用ソケット８ａを設けると共に、一定長さのコードを介装して他端に携帯電話機用接続コネクター８ｂを備えているものである。【００１９】  更には、携帯電話機Ａは各メーカーにより外部接続端子部位の構造が相違しており、一種類の携帯電話機用接続コネクター８ｂでは全種類の携帯電話機Ａへの接続ができないもので、予め夫々のメーカーの機種に接続可能な複数の携帯電���機用接続コネクター８ｂを用いるものである。【００２０】  そして、コードコネクター８ｃは携帯電話機用接続コネクター８ｂを着脱自在とするもので、携帯電話機Ａの既設された外部接続端子はメーカーよって相違することがあり、予め、複数の携帯電話機用接続コネクター８ｂを備えており、夫々の携帯電話機Ａの既設された外部接続端子に合致する携帯電話機用接続コネクター８ｂを接続すると共に、コードコネクター８ｃを接続して充電をするものである。【００２１】  つまり、本考案の携帯発電充電器１は、車両に装備されたシガレットライター用電源Ｂに電源用コード６の基端に設けたカープラグ６ｂを挿通させ、携帯発電充電器１の電源用端子５に電源用コード６の電源用ソケット６ａを接続すると共に、携帯発電充電器１の充電用端子７を充電用コード８の充電用ソケット８ａに挿通させ、携帯電話機Ａに既設された外部接続端子を充電用コード８の携帯電話機用接続コネクター８ｂに挿通させて携帯電話機Ａの電池に充電をするものである。【００２２】  更に、車両に装備されたシガレットライター用電源Ｂに電源用コード６の基端に設けたカープラグ６ｂを挿通させ、携帯発電充電器１の電源用端子５に電源用コード６の電源用ソケット６ａを接続して、充電手段３に充電するもので、経時後充電手段３に一定量の充電がされれば電源用コード６を取り外すものである。【００２３】  そして、充電された携帯発電充電器１を携帯電話機Ａと共に携帯して、携帯電話機Ａの電池に充電が必用な時、携帯発電充電器１の充電用端子７を充電用コード８の充電用ソケット８ａに挿通させ、携帯電話機Ａに既設された外部接続端子を充電用コード８の携帯電話機用接続コネクター８ｂに挿通させて携帯電話機Ａの電池に充電をするものである。【００２４】  つまり、手動式発電手段２のハンドル杆２ａは、携帯発電充電器１に内装された発電軸、コイル、磁気コア等を組設した手動式発電機２ｃと、該手動式発電機２ｃと並設させ機械的に前記発電軸に接続した増速ギアを紐み合わせた増速器２ｄと、増速器２ｄから突出させた回転軸２ｅと、該回転軸２ｅに固定した回転板２ｆと、該回転板２ｆにヒンジ機構２ｂを介装しているものである。【００２５】  更には、回転板２ｆは本体ケース１に内装した手動式発電手段２の手動式発電機２ｃの回転軸２ｅを本体ケース１の表面に露出させ、回転軸２ｅに回転自在に中心部を固定している円板状のものである。【００２６】  更に、凹溝２ｇは円板状の回転板２ｆの表面側の中心点を通過して外周から外周まで断面コ字状に形成しているもので、ヒンジ軸受部は凹溝２ｇの両側に小孔を形成しているもので後述するヒンジ機構２ｂを設けるものある。【００２７】  次いで、ヒンジ機構２ｂはハンドル杆２ａの基端の両側にヒンジ軸を突設させ、ヒンジ軸を前記凹溝２ｇのヒンジ軸受部に挿通させることでハンドル杆２ａを反転可能としているものである。【００２８】  次に、ハンドル杆２ａは凹溝２ｇに入る巾の長板状のもので基端の側面にはヒンジ機構２ｂのヒンジ軸を突設し、先端には短円柱状の回転用ツマミ２ｈを回転可能に突設しているもので、回転用ツマミ２ｈは右手の親指と人差し指と中指で摘んでハンドル杆２ａを回転させるものである。【０���２９】  次いで、凹陥部２ｉは本体ケース１の表面に凹設しており、ハンドル杆２ａの先端に取着した回転用ツマミ２ｈを嵌入させるもので、ハンドル杆２ａは使用しない状態ではヒンジ部２ｂを枢動させて回転用ツマミ２ｈを凹陥部２ｉの位置まで回動させて、回転用ツマミ２ｈを凹陥部２ｉに埋没するように嵌入するものである。
【産業上の利用可能性】
【００３０】  本考案の携帯発電充電器は、災害時や遭難時等の緊急時又はキャンプや登山等の商業電源の取れない無い場所や時において好適に携帯電話機の電池に充電ができるものである。
【図面の簡単な説明】
【００３１】
【図１】  図１は本考案の携帯電話機の充電方法の実施例を説明するための概要図である。
【図２】  図２は本考案の携帯電話機の充電方法の実施例の携帯発電充電器を説明するための正面図である。
【図３】  図３は本考案の携帯電話機の充電方法の実施例の携帯発電充電器を説明するための側面説明図である。
【図４】  図４は本考案の携帯電話機の充電方法の実施例の携帯発電充電器を説明するための側面図である。
【図５】  図５は本考案の携帯電話機の充電方法の実施例を説明するための部品の平面図である。
【符号の説明】
【００３２】Ａ      携帯電話機
Ｂ      シガレットライター用電源
１      携帯発電充電器
２      手動式発電手段
２ａ    ハンドル杆
２ｂ    ヒンジ機構
２ｃ    手動式発電機
２ｄ    増速器
２ｅ    回転軸
２ｆ    回転板
２ｇ    凹溝
２ｈ    回転用ツマミ
２ｉ    凹陥部
３      充電手段
４      照明手段
４ａ    照明用レンズ
４ｂ    オンオフ兼照度切換スイッチ
５      電源用端子
６      電源用コード
６ａ    電源用ソケット
６ｂ    カープラグ
７      充電用端子
８      充電用コード
８ａ    充電用ソケット
８ｂ    携帯電話機用接続コネクター
８ｃ    コードコネクター
【図１】
0003113590.tif 000003
【図２】
0003113590.tif 000004
【図３】
0003113590.tif 000005
【図４】
0003113590.tif 000006
【図５】
0003113590.tif 000007